(57)【要約】      （修正有）【課題】餌箱の設置場所に行かずに、窓辺等の所望の位置において清掃や給餌等のメンテナンス作業が行える遠隔給餌装置を提供する。【解決手段】地面に立設される筒状支持管２と、この筒状支持管２内に回転自在に軸支される回転軸棒３と、この回転軸棒３に基端部を固定するとともに横方向に伸ばした先端部４３に餌箱４４を備える餌箱アーム４と、前記回転軸棒３を軸回転させて前記餌箱アーム４を所定位置まで回動または揺動させるアーム回動機構５とを有する。【選択図】図１
0003146358.tif 000002
【実用新案登録請求の範囲】
【請求項１】
地面に立設される筒状支持管と、この筒状支持管内に回転自在に軸支される回転軸棒と、この回転軸棒に基端部を固定するとともに横方向に伸ばした先端部に餌箱を備える餌箱アームと、前記回転軸棒を軸回転させて前記餌箱アームを所定位置まで回動または揺動させるアーム回動機構とを有する遠隔給餌装置。
【請求項２】
請求項１において、前記筒状支持管は、餌箱のメンテナンス作業を行う作業位置と餌箱の設置位置とを中心点として、餌箱アームの長さを半径とする円をそれぞれ描いたときの各円の交点付近に立設されており、前記餌箱アームが前記アーム回動機構により前記作業位置と前記餌箱の設置位置との間で揺動される遠隔給餌装置。
【請求項３】
請求項１または請求項２において、前記アーム回動機構は、正逆方向に回転可能な駆動手段と、この駆動手段の回転力を前記回転軸棒に伝える駆動力伝達手段と、前記駆動手段の動作制御を行う駆動制御手段と、前記餌箱アームが所定の回動位置または揺動位置に到達したことを検知する検知手段とから構成されている遠隔給餌装置。
【請求項４】
請求項３において、前記筒状支持管の上端部にはスラスト軸受が設置されているとともに、このスラスト軸受に前記駆動力伝達手段を保持させてなる遠隔給餌装置。
【請求項５】
請求項１から請求項４のいずれかにおいて、前記餌箱アームの長手方向の中途位置と前記回転軸棒の上端近傍とを連結して支持するアーム支持具を有する遠隔給餌装置。
【考案の詳細な説明】
【技術分野】
【０００１】
本考案は、小鳥や小動物等に餌を供給する為の遠隔給餌装置に関するものである。
【背景技術】
【０００２】
従来、学術的な研究や癒し効果を得る等の為に庭園等に餌箱を設置し、餌を求めて集まる小鳥や小動物を観察することがある。このような餌箱に多くの小鳥等を呼ぶ為には、餌箱を清潔に保ち、餌を絶やさないようしなければならない。しかし、清掃や給餌等のメンテナンス作業が面倒になり、そのまま放置されてしまう餌箱も少なくなかった。そこで、これまでにメンテナンス作業にかかる時間や経済的コストを削減するための給餌具が提案されている。
【０００３】
特開２００５−６５４３号公報には、餌を入れておく餌箱と、この餌箱の下側に設けた餌受け皿とを有し、餌箱下面の排出口より餌をその自重により排出して、餌受け皿に餌を供給する鳥用給餌具が提案されている（特許文献１）。当該特許文献１によれば、簡単な構成で、餌を無駄にすることが少なく、しかも給餌の対象とする野鳥の大きさを自動的に選別して、その大きさに応じた給餌をすることが可能であるとされている。
【０００４】
【特許文献１】特開２００５−６５４３号公報
【考案の開示】
【考案が解決しようとする課題】
【０００５】
しかしながら、特許文献１に記載された発明においては、鳥が餌を食べる量の予測や調整が難しく、餌箱に入れておいた餌が古くなってしまうという問題がある。また、餌を入れる時や清掃の時等には設置場所まで行かなければならないことには代わりなく、特に降雪地帯においては餌箱の設置場所まで雪かきをしなければならず非常に面倒であり、冬期間放置せざるを得ない場合が多い。
【０００６】
本考案は、このような問題点を解決するためになされたものであって、餌箱の設置場所に行かずに、窓辺等の所望の位置において清掃や給餌等のメンテナンス作業が行える遠隔給餌装置を提供することを目的としている。
【課題を解決するための手段】
【０００７】
本考案に係る遠隔給餌装置は、地面に立設される筒状支持管と、この筒状支持管内に回転自在に軸支される回転軸棒と、この回転軸棒に基端部を固定するとともに横方向に伸ばした先端部に餌箱を備える餌箱アームと、前記回転軸棒を軸回転させて前記餌箱アームを所定位置まで回動または揺動させるアーム回動機構とを有する。
【０００８】
本考案の一態様として、前記筒状支持管は、餌箱のメンテナンス作業を行う作業位置と餌箱の設置位置とを中心点として、餌箱アームの長さを半径とする円をそれぞれ描いたときの各円の交点付近に立設されており、前記餌箱アームが前記アーム回動機構により前記作業位置と前記餌箱の設置位置との間で揺動される態様であってもよい。
【０００９】
また、本考案の一態様として、前記アーム回動機構は、正逆方向に回転可能な駆動手段と、この駆動手段の回転力を前記回転軸棒に伝える駆動力伝達手段と、前記駆動手段の動作制御を行う駆動制御手段と、前記餌箱アームが所定の回動位置または揺動位置に到達したことを検知する検知手段とから構成されている態様であってもよい。
【００１０】
また、本考案の一態様として、前記筒状支持管の上端部にはスラスト軸受が設置されているとともに、このスラスト軸受に前記駆動力伝達手段を保持させてなる態様であってもよい。                                      
【００１１】
また、本考案の一態様として、前記餌箱アームの長手方向の中途位置と前記回転軸棒の上端近傍とを連結して支持するアーム支持具を有する態様であってもよい。
【考案の効果】
【００１２】
本考案によれば、餌箱の設置位置に行くことなく、窓辺等の所望の場所において清掃や給餌等のメンテナンス作業が行える。
【考案を実施するための最良の形態】
【００１３】
以下、本考案に係る遠隔給餌装置の一実施形態について図面を用いて説明する。図１は本実施形態の遠隔給餌装置１Ａにおける正面外観図、図２は本実施形態の遠隔給餌装置１Ａにおける一部分解斜視図、図３は本実施形態の遠隔給餌装置１Ａにおける一部正面断面図および図４は本実施形態の遠隔給餌装置１Ａにおける一部側面断面図である。
【００１４】
本実施形態の遠隔給餌装置１Ａは、主に、地面に立設される筒状支持管２と、この筒状支持管２内に回転自在に軸支される回転軸棒３と、この回転軸棒３に基端部４２を固定するとともに先端部４３に餌箱４４を備える餌箱アーム４と、前記回転軸棒３を軸回転させて前記餌箱アーム４を回動または揺動させるアーム回動機構５とから構成されている。
【００１５】
次に本実施形態における各構成について詳細に説明する。
【００１６】
本実施形態における筒状支持管２は、厚鋼管等により形成されており、上端部２２側の外周面には雄ネジ２１が設けられている。下端部側は地面に埋設されたり、コンクリート台に固定されたりして任意の場所に立設される。本実施形態においては、図５に示すように、窓辺Ｗ等のメンテナンス作業を行う作業位置Ｐ１と餌箱４４の設置位置Ｐ２とを中心点として、餌箱アーム４の長さを半径ｒとする円をそれぞれ描いたときの各円の交点付近Ｐ３に立設されている。なお、詳細な作用等については後述するが、上記のように餌箱アーム４を基準に筒状支持管２の設置位置Ｐ３を決定することにより、餌箱４４は作業位置Ｐ１と餌箱４の設置位置Ｐ２との間を正確に移動できるようになる。
【００１７】
また、筒状支持管２の上端部２２の雄ネジ２１には、下から順に係止ナット１１と、この係止ナット１１に支持される取付板１２と、係止ナット１１とともに取付板１２を狭持して固定する取付板狭持具１３とが取り付けられる。
【００１８】
本実施形態における係止ナット１１は、その上に載せられる取付板１２を係止可能な外径を有しており、雄ネジ２１の所定位置まで螺進して固定される。係止ナット１１として用いられるナットは特に限定されるものではなく市販のナット類から適宜選択すればよく、特にロック機能を有する各種ロックナットや二重ナット等の弛みの少ないものを用いるとよい。
【００１９】
本実施形態における取付板１２は、アーム回動機構５の駆動手段６や下部防水カバー１４を固定し、かつアーム回動機構５の検知手段９の制動スイッチ９１を搭載するものである。前記取付板１２は略円盤状に形成され、中央には筒状支持管２の雄ネジ２１を挿通可能にするとともに係止ナット１１に係止可能な大きさの挿通口１２１が開口されている。また、その外周縁には下方に折り曲げられるとともに、外周に沿って所定間隔を隔てて配置された矩形板状のカバー固定部１２２が設けられており、このカバー固定部１２２の略中心には下部防水カバー１４を固定するボルトを挿入するための下穴１２３が穿孔されている。また、取付板１２の外周縁には、アーム回動機構５の駆動手段６を設置するための略四角形状のモータ設置用切り欠き部１２４が形成されている。さらに、モータ設置用切り欠き部１２４の一縁部にはその縁部に沿って下方にモータ固定板１２５が接合されている。このモータ固定板１２５には略Ｕ字の固定金具１２６を用いて駆動手段６を固定するための固定金具用下穴１２７と、略Ｕ字の支持金具１２８により筒状支持管２に支持するための固定板支持用下穴１２９が穿孔されている。なお、円盤の上面に搭載される検知手段９の制動スイッチ９１の詳細は後述する。
【００２０】
当該取付板１２は、筒状支持管２の雄ネジ２１に係止ナット１１が固定された後に挿入され、係止ナット１１と取付板狭持具１３とにより狭持固定される。また、モータ固定板１２５は、略Ｕ字の支持金具１２８により筒状支持管２を挟み込み、その両先端を固定板支持用下穴１２９に挿入してナット等により固定される。
【００２１】
カーバー固定部１２２には下部防水カバー１４が取り付けられる。本実施形態における下部防水カバー１４は、プラスチック樹脂等の防水性部材により取付板１２の外周とほぼ等しい内周を有する円筒状に形成され、底部には中央に筒状支持管２を挿入可能な挿入口１４１が開口されている。当該下部防水カバー１４は、係止ナット１１を雄ネジ２１に螺合させる前に筒状支持管２に挿入しておき、取付板１２が取付板狭持具１３により固定された後に上昇させて取付板１２を内周面側に嵌め入れ、取付板１２のカバー固定部１２２にボルト止めされる。なお、下部防水カバー１４の固定方法は特に限定されるものではなく、取付板１２の外周面と、下部防水カバー１４の内周面とにネジを設けて螺合させる等、適宜選択すればよい。
【００２２】
本実施形態における取付板狭持具１３は、上述したように取付板１２を固定するとともに、その内部にアーム回動機構５の駆動力伝達手段７との摩擦力を低減させるスラスト軸受１５を保持する空間を備えている。具体的には、厚鋼管等により形成されており、その内周面には筒状支持管２の雄ネジ２１に螺合可能な雌ネジ１３１が設けられている。当該取付板狭持具１３は、筒状支持管２の雄ネジ２１に螺合させて係止ナット１１とともに取付板１２を狭持固定する。また、取付板狭持具１３を当該筒状支持管２の雄ネジ２１に螺合させることにより、図６に示すように、筒状支持管２の上端部２２に、当該取付板狭持具１３の上面１３２と、その内周面の雌ネジ１３１と、筒状支持管２の上端部２２とにより囲まれたスラスト軸受１５が保持可能な軸受保持空間１６が形成される。
【００２３】
また、本実施形態における軸受保持空間１６には、スラスト軸受１５と、このスラスト軸受１５が筒状支持管２内に落下するのを防ぐとともにスラスト軸受１５の設置される高さを調節するための座金１７とが挿入される。座金１７は筒状支持管２の内径より大きい外径を有しており、当該筒状支持管２の上端部２２により係止され、その上にスラスト軸受１５が設置される。なお、当該スラスト軸受１５の上面は取付板狭持具１３の上面１３２よりも高い位置にある必要があり、その高さは当該座金１７の枚数の増減や係止ナット１１の固定位置等により調整される。
【００２４】
つぎに、本実施形態における回転軸棒３について説明する。当該回転軸棒３は、筒状支持管２の内径より小さい外径を有する円柱状に形成されており、下側にはラジアル軸受３１が設けられ、中央にはアーム回動機構５の駆動力伝達手段７が固定され、上側にアーム支持具１８が連結される。
【００２５】
当該回転軸棒３の下側に設けられるラジアル軸受３１は、回転軸棒３と筒状支持管２との間の抵抗力を抑制するためのものである。本実施形態におけるラジアル軸受３１は、回転軸棒３が挿入可能な市販のものを使用しており、当該回転軸棒３に挿入され、その上下には回転軸棒３に着脱可能な略Ｃ字状の軸受ストッパー３２が嵌め込まれており、軸方向の移動が拘束されている。図２〜図４に示すように、本実施形態においては、ラジアル軸受３１が２つ取り付けられている。なお、ラジアル軸受３１の固定は、上記軸受ストッパー３２に限られるものではなく、筒状支持管２内に段差を設け、その段差の上にラジアル軸受３１を係止させる等、適宜選択してよい。
【００２６】
当該回転軸棒３は、筒状支持管２内に挿入され、中央に固定された駆動力伝達手段７がスラスト軸受１５に保持されることにより、落下することなく下側約半分が回転自在に吊り下げられた状態となる。なお、回転軸棒３の長さは適宜選択されるものであり、少なくとも軸回転が安定する長さを必要とする。
【００２７】
つぎに、本実施形態におけるアーム回動機構５について説明する。当該アーム回動機構５は、主に、正逆方向に回転可能な回転軸６１を有する駆動手段６と、この駆動手段６の回転力を回転軸棒３に伝える駆動力伝達手段７と、前記駆動手段６の動作制御を行う駆動制御手段８と、餌箱アーム４が所定の揺動位置に到達したことを検知する検知手段９とから構成されている。
【００２８】
本実施形態における駆動手段６は、パワーウインドに使用される電動モーター６を用い、その回転軸６１には駆動力伝達手段７に動力を伝達するための歯車６２が設けられている。また、駆動手段６には電動モーター６の始動、停止および正逆回転方向の切り替えが可能な駆動制御手段８が備え付けられている。当該駆動手段６は取付板１２のモータ設置用切り欠き部１２４の上方に歯車６２が配置されるように、Ｕ字の固定金具１２６によりモータ固定板１２５に狭持固定される。なお、本実施形態における電動モーター６には自動車のパワーウインド用のものが使用されているが、これに限定されるものではなく適宜選択すればよい。
【００２９】
本実施形態における駆動力伝達手段７は、図２および図３に示すように、回転軸棒３に固定する固定部７１と、この固定部７１の側面から延出されて餌箱アーム４を固定するアーム固定部７２と、前記固定部７１の下部に設けられた略円盤状の伝達円盤部７３とから構成されている。固定部７１は回転軸棒３に嵌合可能な内径を有する厚鋼管等により形成されており、その側面には、固定ボルトを貫通させて前記回転軸棒３に固定するためのネジ穴７４が形成されている。アーム固定部７２は、餌箱アーム４の基端部４２を嵌入可能な筒状に形成されており、前記固定部７１の側面から回転軸棒３の遠心方向に向かって延出されている。また、その側面には餌箱アーム４をボルト止めするためのアーム固定下穴７５が形成されている。伝達円盤部７３は、前記固定部７１よりも大径に形成されており、その円形状の下縁部に沿って伝達歯７６が形成されている。また、詳細は後述するが、伝達円盤部７３には検知手段９の制動スイッチ押しピン９２が設けられている。
【００３０】
当該駆動力伝達手段７は、回転軸棒３に嵌合された上で、固定ボルト用のネジ穴７４にボルトを締め付けて、その先端の押圧力により回転軸棒３に固定される。よって、駆動力伝達手段７を固定した回転軸棒３が筒状支持管２内に挿入されることにより、駆動力伝達手段７は筒状支持管２の上のスラスト軸受１５に保持されるとともに、伝達歯７６が駆動手段６の歯車６２にかみ合わされる。
【００３１】
なお、本実施形態における駆動手段６から駆動力伝達手段７への回転力の伝達は歯車６２および伝達歯７６によってなされているが、これに限定されるものではなく適宜変更してもよく、例えば、駆動手段６および駆動力伝達手段７にプーリーを用いてベルト等により回転力を伝達してもよい。
【００３２】
本実施形態における駆動制御手段８は、図５に示すように、駆動手段６の回転軸６１を正方向に回転させる正方向回転スイッチ８１と、逆方向に回転させる逆方向回転スイッチ８２と、回転を停止させる停止スイッチ８３とを有している。本実施形態においては、各スイッチ８１，８２，８３は建物内にまとめられ、導線８４を用いて地下等を通して駆動手段６に配線されている。
【００３３】
本実施形態における検知手段９は、取付板１２に搭載される制動スイッチ９１と、駆動力伝達手段７の伝達円盤部７３に配設される制動スイッチ押しピン９２とから構成されている。制動スイッチ９１は、ボタン９３が押されると駆動手段６を停止させる機能を有しており、取付板１２の上面であって、かつ同円周上における餌箱４４の設置位置Ｐ２とメンテナンス作業位置Ｐ１に対応する２カ所に設置されている。また、制動スイッチ押しピン９２は、伝達円盤部７３とともに回転することにより制動スイッチ９１を作動させるためのものであり、駆動力伝達手段７の伝達円盤部７３の下方に垂下されて前記各制動スイッチ９１，９１に係合できるように同円周上の所定の位置に２つ取り付けられている。ここで、制動スイッチ９１を作動させる位置を設置位置Ｐ２に対応する場所およびメンテナンス作業位置Ｐ１に対応する場所にしているが、これに限る必要はなく、この位置における停止は停止スイッチ８３により行い、それ以上先に回動または揺動する場合の過剰な位置への回動や揺動を防止するための制動スイッチ９１として、該当位置に設置してもよい、これによれば、過剰な回動等によって建物の損傷を防ぐことに使用可能である。
【００３４】
なお、制動スイッチ９１および制動スイッチ押しピン９２の搭載や設置される位置は、前述したように餌箱アーム４の揺動させる所定の角度によって決定される。例えば、本実施形態では、図７に示すように、各制動スイッチ押しピン９２，９２と、回転軸棒３の回転中心とによりできる角度α１を適当に決めた場合の各制動スイッチ９１，９１と回転中心との角度α２は、各制動スイッチ押しピン９２，９２の角度α１に所定の角度α０を足した角度となる。
【００３５】
ただし、制動スイッチ９１，９１と制動スイッチ押しピン９２，９２とは、上記のように１対で２組を設ける態様に限定されるものではなく、いずれか一方を１つにして構成することもできる。このときの制動スイッチ９１または制動スイッチ押しピン９２と回転中心との角度α１，α２は所定の角度α０と等しくすればよい。
【００３６】
つぎに、本実施形態における餌箱アーム４について説明する。当該餌箱アーム４は、アーム４１と、先端部４３の餌箱４４とから構成される。アーム４１は、角棒状に形成されており、基端部４２にはボルト穴４５が設けられている。当該アーム４１は、駆動力伝達手段７のアーム固定部７２に嵌入され、アーム固定部７２のアーム固定下穴７５に挿通されたボルトによって固定される。
【００３７】
本実施形態における餌箱４４は、図８に示すように、餌箱アーム４の先端部４３に嵌合可能な角形パイプ状餌箱固定管４４１と、この角形パイプ餌箱固定管４４１の両端から上方に立設される２本の支柱４４２，４４２と、これらの支柱４４２，４４２の間に渡された梁４４３と、この梁４４３に支えられた屋根４４４と、梁４４３から屋根４４４を介してぶら下げられたスチールワイヤー４４５により屋根４４４の下に吊設される餌受け皿４４６とから構成されている。当該餌箱４４は、角形パイプ餌箱固定管４４１を先端部４３側から挿入して、角形パイプ餌箱固定管４４１とアーム４１の隙間にくさび４４７を打つことにより固定される。
【００３８】
なお、餌箱４４は上記の形態に限定するものではなく、図９に示すように、軽量化のためにアルミ材等で各パーツを形成し、ビス止め等により組み立てられたものを用いてもよい。具体的には、角形パイプ状餌箱固定管４４１と、外周に雄ネジが設けられた支柱４４２，４４２と、これら支柱４４２，４４２の所定高さにおいて固定ナット４４８により狭持固定される餌受け皿４４６と、断面略Ｌ字状に形成されて前記支柱４４２，４４２の上端近傍において固定ナット４４８により狭持固定される屋根支持枠４４９と、屋根支持枠４４９に固定される屋根４４４と、この屋根４４４の振動を抑えるために支柱４４２，４４２と屋根４４４との間に架設される振動抑制枠４５０とから構成し、餌箱固定用ボルト４５１によりアーム４１に固定される。
【００３９】
以上のように、餌箱４４の形態は特に限定されるものではなく、設置状況や餌を与える対象の鳥や小動物により適宜変更すればよい。
【００４０】
また、本実施形態における回転軸棒３の駆動力伝達手段７より上には、下から順に回転軸棒脱落防止具３３と、上部防水カバー支持具３４と、上部防水カバー１９と、回転軸棒カバー３５と、軸棒カバーキャップ３６とが設けられている。
【００４１】
回転軸棒脱落防止具３３は、駆動力伝達手段７の固定部７１が回転軸棒３から外れた場合に、筒状支持管２の上端部２２等に係止して、回転軸棒３が筒状支持管２内に脱落しないための安全用の金具であり、本実施形態の場合、ラジアル軸受３１の軸方向の移動を拘束するために用いた略Ｃ字状の軸受ストッパー３２と同型のものが用いられている。
【００４２】
上部防水カバー支持具３４は、図２乃至図４に示すように、円盤状に形成され、中央に回転軸棒３を嵌入するための穴が設けられている。当該上部防水カバー支持板３４は、駆動力伝達手段７の上に搭載され、その上には上部防水カバー１９が搭載される。
【００４３】
上部防水カバー１９は、図１乃至図４、図６に示すように、アーム回動機構５等を風雨から守るものであり、プラスチック樹脂等により円柱傘状に形成されており、前述した下部防水カバー１４に蓋のようにして嵌合されるようになっている。上部防水カバー１９の中央上方には、略凸状に成形された軸棒カバー筒部１９１が形成されており、回転軸棒３に嵌合されるようになっている。また、上部防水カバー１９の側面の任意の位置には餌箱アーム４を挿通させるアーム孔１９２が形成されている。なお、餌箱アーム４とアーム孔１９２とによりできる隙間には、雨水等が入り込まないようにパッキン１９３が嵌め込まれている。
【００４４】
回転軸棒カバー３５は、プラスチック樹脂等により略円筒状に形成されたものであり、上部防水カバー１９から上に露出されている回転軸棒３とほぼ等しい軸方向の長さを有している。当該回転軸棒カバー３５は、上部防水カバー１９の軸棒カバー筒部１９１に嵌合される。
【００４５】
軸棒カバーキャップ３６は、鉄やプラスチック等により天蓋を備える筒状に形成されており、回転軸棒カバー３５の上に重ねられる。軸棒カバーキャップ３６の外周面にはリング状の支持具掛部３７が取り付けられており、アーム４１を支持するアーム支持具１８が引っ掛けられるようになっている。
【００４６】
本実施形態におけるアーム支持具１８は、長尺棒やワイヤー等から構成されて長尺の餌箱アーム４を支えるためのものであり、その両端部には略Ｃ字状のフック１８ａ，１８ｂが備えられている。一端側のフック１８ａは前述した回転軸棒３の支持具掛部３７に引っ掛けられ、他端側のフック１８ｂは餌箱アーム４の中途位置に嵌合固定されているアーム支持管４６に取り付けられたリング状の支持具掛部３７に引っ掛けられるようになっている。これにより、アーム支持具１８は、一端のフック１８ａを軸棒カバーキャップ３６に係止され、他端のフック１８ｂをアーム支持管４６に係止されて、二点を連結することで餌箱アーム４を支持している。
【００４７】
つぎに、本実施形態における各構成の作用について説明する。
【００４８】
まず、本実施形態における遠隔給餌装置１Ａを作動させるには、駆動制御手段８の正方向回転スイッチ８１または逆方向回転スイッチ８２を押せばよい。いずれかのスイッチ８１，８２を押すことにより、駆動手段６が駆動して餌箱アーム４は回転する。具体的には、本実施形態において正方向回転スイッチ８１を押すと、駆動手段６へ電力が供給され、回転軸６１が正方向に回転を開始する。回転軸６１に設けられた歯車６２は、駆動力伝達手段７の伝達歯７６を介して伝達円盤部７３を回転させる。駆動力伝達手段７は回転軸棒３に固定されており、回転軸棒３やアーム固定部７２に固定された餌箱アーム４とともに回転する。なお、本実施形態において駆動手段６を正方向に回転させると、餌箱アーム４は平面視で反時計回りに回転しながらメンテナンス作業位置Ｐ１である窓辺Ｗから餌箱４４の設置位置Ｐ２へと移動する。回転を任意の場所で止めたいときは、停止スイッチ８３を押すことにより駆動手段６への電力の供給が止まり回転が止まる。
【００４９】
なお、遠隔給餌装置１Ａの筒状支持管２は、作業位置Ｐ１と餌箱４４の設置位置Ｐ２とを中心点として餌箱アーム４の長さを半径ｒとした各円の交点付近Ｐ３に立設されている。すなわち、当該交点Ｐ３から作業位置Ｐ１までの距離と、当該交点Ｐ３から餌箱４４の設置位置Ｐ２までの距離とは等しく、餌箱アーム４を正確に移動させることができる。
【００５０】
餌箱４４のメンテナンスを行う場合、逆方向回転スイッチ８２を押すことにより駆動手段６は逆回転し、餌箱４４は設置位置Ｐ２から作業位置Ｐ１である窓辺Ｗに到達する。このように、先端部４３の餌箱４４が窓辺Ｗまで接近することにより、給餌や清掃などの作業が建物内に居ながら行える。
【００５１】
また、餌箱アーム４は、上記のように駆動制御手段８により作業位置Ｐ１と餌箱４４の設置位置Ｐ２との間を自由に往復させられる。ただし、検知手段９の制動スイッチ押しピン９２が取付板１２上の制動スイッチ９１のボタン９３を押すと、駆動手段６への電力の供給はストップされ、餌箱アーム４の回転は自動的に停止する。このように、餌箱アーム４は、制動スイッチ９１，９１や制動スイッチ押しピン９２，９２の設置間隔を適当に設置することにより、餌箱アーム４の揺動を所定の範囲内のみに限定することができ、餌箱４４が建物に衝突して、建物を破損させたりするのを防ぐことができる。
【００５２】
なお、本実施形態における制動スイッチ押しピン９２，９２は２つ設けられており、仮に一方の制動スイッチ押しピン９２が破損しても、他方の制動スイッチ押しピン９２が制動スイッチ９１を押すため大事故には至らない。
【００５３】
ラジアル軸受３１およびスラスト軸受１５は、回転軸棒３と筒状支持管２との間の摩擦力および駆動力伝達手段７と筒状支持管２の上端部２２との間の摩擦力を低減する。そのため、餌箱アーム４の回動はスムーズになり、駆動手段６が小さな出力でも容易に回転する。
【００５４】
本実施形態における取付板狭持具１３は、筒状支持管２とともに軸受保持空間１６を形成し、その軸受保持空間１６に保持されるスラスト軸受１５を埃等から守り、故障や破損を防止する。また、アーム支持具１８により餌箱アーム４を吊り下げることにより、先端部４３の餌箱４４の重さは、餌箱アーム４とアーム支持具１８とに分散され、餌箱アーム４の基端部４２にかかる負荷を軽減する。さらに、上部防水カバー１９および下部防水カバー１４は、装置全体を雨風から保護し、駆動手段６等の故障や駆動力伝達手段７等の腐食を防ぐ。
【００５５】
以上のような本実施形態によれば、以下のような効果が得られる。
１．給餌や清掃などの作業が建物内に居ながら行うことができる。
２．餌箱アーム４の移動はスイッチ操作のみであり、餌箱アーム４と建物との衝突も自動的に防ぐことができる。
３．回転がスムーズで省エネルギー運転が可能であり、ランニングコストを抑制することができる。
４．故障が少なく、維持管理が容易である。
【００５６】
なお、本考案に係る遠隔給餌装置は、前述した実施形態に限定されるものではなく、適宜変更することができる。
【００５７】
例えば、図１０における遠隔給餌装置１Ｂは、回転軸棒３を上部防水カバー１９から上に突出させることなく構成されており、高さ方向に障害物がある場所における設置が可能となる。
【００５８】
また、図示しないが、餌箱アーム４が、水平回転に限らず、回転しながら螺旋状に上昇するように構成させてもよい。これにより高さの異なる作業位置Ｐ１と設置位置Ｐ２との間を移動可能になる。
【図面の簡単な説明】
【００５９】
【図１】本考案に係る遠隔給餌装置の一実施形態を示す正面外観図である。
【図２】本考案に係る遠隔給餌装置の一実施形態を示す一部分解斜視図である。
【図３】本考案に係る遠隔給餌装置の一実施形態を示す一部正面断面図である。
【図４】本考案に係る遠隔給餌装置の一実施形態を示す一部側面断面図である。
【図５】本実施形態における遠隔給餌装置の設置位置の一例を示す平面図である。
【図６】本実施形態における駆動力伝達手段の近傍を示す拡大断面図である。
【図７】本実施形態における制動スイッチおよび制動スイッチ押しピンの設置位置の一例を示す一部平面図である。
【図８】本実施形態における餌箱を示す斜視図である。
【図９】本考案に係る餌箱の他の実施形態を示す斜視図である。
【図１０】本考案に係る遠隔給餌装置の他の実施形態を示す正面外観図である。
【符号の説明】
【００６０】
１Ａ，１Ｂ  遠隔給餌装置
２  筒状支持管
３  回転軸棒
４  餌箱アーム
５  アーム回動機構
６  駆動手段、電動モーター
７  駆動力伝達手段
８  駆動制御手段
９  検知手段
１１  係止ナット
１２  取付板
１３  取付板狭持具
１４  下部防水カバー
１５  スラスト軸受
１６  軸受保持空間
１７  座金
１８  アーム支持具
１９  上部防水カバー
２１  雄ネジ
２２  上端部
３１  ラジアル軸受
３２  軸受ストッパー
３３  回転軸棒脱落防止具
３４  上部防水カバー支持具
３５  回転軸棒カバー
３６  軸棒カバーキャップ
３７  支持具掛部
４１  アーム
４２  基端部
４３  先端部
４４  餌箱
４５  ボルト穴
４６  アーム支持管
６１  回転軸
６２  歯車
７１  固定部
７２  アーム固定部
７３  伝達円盤部
７４  ネジ穴
７５  アーム固定下穴
７６  伝達歯
８１  正方向回転スイッチ
８２  逆方向回転スイッチ
８３  停止スイッチ
８４  導線
９１  制動スイッチ
９２  制動スイッチ押しピン
１２１  挿通口
１２２  カバー固定部
１２３  下穴
１２４  モータ設置用切り欠き部
１２５  モータ固定板
１２６  固定金具
１２７  固定金具用下穴
１２８  支持金具
１２９  固定板支持用下穴
１３１  雌ネジ
１３２  上面
１４１  挿入口
１８ａ，１８ｂ  フック
１９１  軸棒カバー筒部
１９２  アーム孔
１９３  パッキン
４４１  角形パイプ餌箱固定管
４４２  支柱
４４３  梁
４４４  屋根
４４５  スチールワイヤー
４４６  餌受け皿
４４７  くさび
４４８  狭持固定ナット
４４９  屋根支持枠
４５０  振動抑制枠
４５１  餌箱固定用ボルト
Ｐ１  メンテナンス作業位置
Ｐ２  餌箱の設置位置
Ｐ３  筒状支持管の設置位置
Ｗ  窓辺
ｒ  餌箱アームの長さ
【図１】
0003146358.tif 000003
【図２】
0003146358.tif 000004
【図３】
0003146358.tif 000005
【図４】
0003146358.tif 000006
【図５】
0003146358.tif 000007
【図６】
0003146358.tif 000008
【図７】
0003146358.tif 000009
【図８】
0003146358.tif 000010
【図９】
0003146358.tif 000011
【図１０】
0003146358.tif 000012